(57)【要約】【課題】本発明は、テスト信号発生装置に関し、特に尾引きの評価に適用して、検査対象の表示の目視により従来に比して尾引きの測定精度を向上する。【解決手段】本発明は、尾引き検査パターン６に尾引きの長さ測定用の目盛り７を設ける。【選択図】        図１
2008128695.tif 000002
【特許請求の範囲】
【請求項１】
尾引き検査パターンが一定速度で移動する尾引き検査用の映像信号を出力するテスト信号発生装置において、
前記尾引き検査パターンに、尾引きの長さ測定用の目盛りを配置して、前記尾引き検査用の映像信号を生成する
ことを特徴とするテスト信号発生装置。
【請求項２】
前記尾引き検査パターンから、前記尾引きの長さ測定用の目盛りまでの間隔を、操作子の操作に応動して可変すると共に、前記間隔の値を表示する
ことを特徴とする請求項１に記載のテスト信号発生装置。
【発明の詳細な説明】
【技術分野】
【０００１】
本発明は、テスト信号発生装置に関し、特に尾引きの評価に適用することができる。本発明は、尾引き検査用のテストパターンに尾引きの長さ測定用の目盛りを設けることにより、検査対象の表示の目視により従来に比して尾引きの測定精度を向上する。
【背景技術】
【０００２】
従来、表示装置等の開発、生産においては、テスト用の映像信号を使用して画質を評価、判定している。またこのような画質の評価においては、尾引きを検証する場合がある。ここで尾引きは、図６に示すように、移動物体の後方に発生する残像である。
【０００３】
このような尾引きの検査では、従来、移動物体の映像を検査対象で表示し、目視により尾引きの長さを概ね判定して尾引きの程度を評価していた。
【０００４】
このような尾引きの検査に関して、例えば特開２００１−３０５０１５号公報には、移動するテストパターンの映像を表示し、この表示を撮影して尾引きの長さを判定する方法が開示されている。
【０００５】
ところで検査対象の表示の目視により従来に比して尾引きの測定精度を向上することができれば、一段と使い勝手を向上することができ、便利であると考えられる。
【特許文献１】特開２００１−３０５０１５号公報
【発明の開示】
【発明が解決しようとする課題】
【０００６】
本発明は以上の点を考慮してなされたもので、検査対象の表示の目視により従来に比して尾引きの測定精度を向上することができるテスト信号発生装置を提案しようとするものである。
【課題を解決するための手段】
【０００７】
上記の課題を解決するため請求項１の発明は、尾引き検査パターンが一定速度で移動する尾引き検査用の映像信号を出力するテスト信号発生装置に適用して、前記尾引き検査パターンに、尾引きの長さ測定用の目盛りを配置して、前記尾引き検査用の映像信号を生成する。
【０００８】
また請求項２の発明は、請求項１の構成において、前記尾引き検査パターンから、前記尾引きの長さ測定用の目盛りまでの間隔を、操作子の操作に応動して可変すると共に、前記間隔の値を表示する。
【０００９】
請求項１の構成により、前記尾引き検査パターンに、尾引きの長さ測定用の目盛りを配置して、前記尾引き検査用の映像信号を生成すれば、この目盛りを使用して尾引きの長さを測定することができ、その分、従来に比して測定精度を向上することができる。
【００１０】
また請求項２の構成により、請求項１の構成において、前記尾引き検査パターンから、前記尾引きの長さ測定用の目盛りまでの間隔を、操作子の操作に応動して可変すると共に、前記間隔の値を表示すれば、目盛りの位置が尾引きの後端となるように目盛りの位置を可変して、表示された間隔の値によって尾引きの長さを測定することができ、簡易かつ精度良く尾引きを測定することができる。
【発明の効果】
【００１１】
本発明によれば、検査対象の表示の目視により従来に比して尾引きの測定精度を向上することができる。
【発明を実施するための最良の形態】
【００１２】
以下、適宜図面を参照しながら本発明の実施例を詳述する。
【実施例１】
【００１３】
（１）実施例の構成
図２は、本発明の実施例に係るテスト信号発生装置を示すブロック図である。このテスト信号発生装置１は、検査対象である液晶表示装置等に尾引き検査用のテスト用映像信号ＳＶを出力する。すなわちこのテスト信号発生装置１において、画像合成回路２は、制御回路３の制御により画像合成して画像データを出力する。映像信号出力回路４は、この画像合成回路２から出力される画像データからテスト用映像信号ＳＶを生成して出力する。操作部５は、この映像信号出力回路４から出力するテスト用映像信号ＳＶの設定等を入力する各種操作子である。
【００１４】
制御回路３は、このテスト信号発生装置１の動作を制御する制御手段であり、オペレータによる操作部５の操作によりテスト用映像信号ＳＶの設定を受け付ける。またこの受け付けた設定によるテスト用映像信号ＳＶを出力するように、画像合成回路２の動作を制御する。
【００１５】
すなわち制御回路３は、画面左から右に移動物体が移動する場合、画面右から左に移動物体が移動する場合、画面上から下に移動物体が移動する場合、画面下から上に移動物体が移動する場合の４種類について、オペレータにより選択を受け付けてテスト用映像信号ＳＶを生成する。ここでこれらの場合のテスト用映像信号ＳＶは、それぞれ移動物体の移動方向に対応する尾引き検査用のテストパターンを一定の速度で移動物体の移動方向に対応する方向に移動させる映像信号である。
【００１６】
ここで図３（Ａ）〜（Ｄ）は、それぞれ画面左から右に移動物体が移動する場合、画面右から左に移動物体が移動する場合、画面上から下に移動物体が移動する場合、画面下から上に移動物体が移動する場合の、尾引き検査パターンを示す平面図である。尾引き検査パターンは、移動物体の移動方向に対応するように、向きが異なって配置される点を除いて、同一形状に形成される。すなわち画面右から左に移動物体が移動する場合の尾引き検査パターンは（図３（Ｂ））、画面左から右に移動物体が移動する場合の尾引き検査パターン（図３（Ａ））を１８０度回転させた形状により形成され、画面上から下に移動物体が移動する場合の尾引き検査パターン（図３（Ｃ））、画面下から上に移動物体が移動する場合の尾引き検査パターン（図３（Ｄ））は、画面左から右に移動物体が移動する場合の尾引き検査パターン（図３（Ａ））を時計方向及び反時計方向に９０度回転させた形状により形成される。
【００１７】
ここで画面左から右に移動物体が移動する場合の尾引き検査パターンを拡大して図１に示すように、尾引き検査パターン６は、移動方向に細長く延長する矩形パターンが移動方向と直交する方向に一定ピッチで順次並べられて形成される。各矩形パターンは、同一の幅で形成され、矩形パターンの並びで中央から端部側に向かうに従って長さが短くなるように形成される。尾引き検査パターン６は、移動方向側の先頭で、矩形パターンの端部が揃うように形成され、これにより移動方向とは逆側では、中央側の矩形パターン程、移動方向とは逆側に突出するように形成される。
【００１８】
尾引き検査パターン６は、この移動方向とは逆側、尾引きが発生する側に、尾引きの長さ測定用の目盛り７が設けられる。目盛り７は、発生した尾引きを横切る方向に細長い線状に、各矩形パターンと同一の色彩及び輝度レベルにより、各矩形パターンにそれぞれ形成される。
【００１９】
制御回路３は、ユーザーによる操作子の操作により、尾引き検査パターン６を形成する矩形パターンの色彩及び輝度レベル、背景の色彩及び輝度レベル、尾引き検査パターン６の移動速度の設定を受け付け、また各矩形パターンの後端から尾引きの長さ測定用の目盛り７までの間隔Ｔを可変する。またこの間隔Ｔの値を計測して検査対象の画面上で表示する。なおこの間隔Ｔの値の表示は、テスト用映像信号ＳＶにおける時間間隔で実行される。
【００２０】
（２）実施例の動作
以上の構成において、このテスト信号発生装置１では（図１及び図２）、制御回路３の制御により、オペレータの指示に従った方向に尾引き検査用のテストパターン６が移動するように尾引き検査用のテスト用映像信号ＳＶが出力される。従ってこのテスト信号発生装置１では、このテスト用映像信号ＳＶを検査対象の機器に入力して表示することにより、種々の方向の尾引きの有無を確認することができる。
【００２１】
このテスト信号発生装置１では、このようにして検査対象の機器でテスト用映像信号ＳＶを表示して、尾引きが目視されると、この尾引き検査パターン６に設けられた目盛りと尾引きとの比較により、尾引きの長さを客観的に把握することができる。従って従来のように、単に目視により尾引きの長さを判定する場合に比して高い精度で尾引きを測定することができる。
【００２２】
またこのようにして目盛りと尾引きとの比較により、尾引きの長さを把握するようにして、尾引きの後端が目盛りの位置と相違する場合には、尾引きの後端が目盛りの位置となるように、操作子の操作により尾引き検査パターン６から目盛り７までの間隔Ｔを可変することにより、この間隔Ｔの値が表示され、尾引きの長さが種々に変化する場合でも、尾引きを精度良くかつ確実に測定することができる。
【００２３】
（３）実施例の効果
以上の構成によれば、尾引き検査パターンに尾引きの長さ測定用の目盛りを設けることにより、検査対象の表示の目視により従来に比して尾引きの測定精度を向上することができる。
【００２４】
また操作子の操作に応動して尾引き検査パターンから尾引きの長さ測定用の目盛りまでの間隔Ｔを可変すると共にこの間隔Ｔの値を表示することにより、尾引きの長さが種々に変化する場合でも、尾引きを精度良くかつ確実に測定することができる。
【実施例２】
【００２５】
なお上述の実施例においては、尾引き検査パターンと目盛りとの間隔の値を検査対象側で表示する場合について述べたが、本発明はこれに限らず、これに代えてテスト信号発生装置で表示するようにしてもよい。
【００２６】
また上述の実施例においては、移動方向に対応するように尾引き検査パターンの表示を切り換える場合について述べたが、本発明はこれに限らず、例えば図４（Ａ）に示すように、左右方向に移動する場合の尾引き検査パターンを共通化するようにしてもよく、また図４（Ｂ）に示すように、上下方向に移動する場合の尾引き検査パターンを共通化するようにしてもよい。
【００２７】
また上述の実施例においては、移動方向に細長い矩形パターンにより尾引き検査パターンを形成する場合について述べたが、本発明はこれに限らず、要は移動方向に一定の長さを有する形状であればよく、例えば図５（Ａ）、（Ｂ）、（Ｃ）、（Ｄ）に示すように、円形、楕円、三角形等の種々の形状によるパターンを広く適用することができる。
【００２８】
また上述の実施例においては、目盛りを棒状により形成する場合について述べたが、本発明はこれに限らず、目盛りの形状にあっては、三角形等の種々の形状を広く適用することができる。
【産業上の利用可能性】
【００２９】
本発明は、テスト信号発生装置に関し、特に尾引きの評価に適用することができる。
【図面の簡単な説明】
【００３０】
【図１】本発明の実施例１のテスト信号発生装置による映像信号の説明に供する平面図である。
【図２】本発明の実施例１のテスト信号発生装置を示すブロック図である。
【図３】尾引き検査パターンの説明に供する平面図である。
【図４】図３とは異なる例を示す平面図である。
【図５】図３、図４とは異なる例を示す平面図である。
【図６】尾引きの説明に供する平面図である。
【符号の説明】
【００３１】
１……テスト信号発生装置、２……画像合成回路、３……制御回路、４……映像信号出力回路、６……尾引き検査パターン、７……目盛り
【図１】
2008128695.tif 000003
【図２】
2008128695.tif 000004
【図３】
2008128695.tif 000005
【図４】
2008128695.tif 000006
【図５】
2008128695.tif 000007
【図６】
2008128695.tif 000008